(57)【要約】【課題】利用者の利便性を向上し、且つ店舗内の省スペース化、複合機の利用効率の向上、ランニングコストの低減を図ることができる複合機管理システムを提供する。【解決手段】この複合機管理システム６０は、ＡＴＭ機能及び自動契約機能を備えた複数の複合型自動契約機５０と、複合機５０を利用するために待機する利用者数を検知するセンサ１３と、センサ１３により検知された利用者数に応じて各複合機５０の機能をＡＴＭ機能又は自動契約機能の何れかに割り当てる制御部１８と、待機する利用者１５が希望する利用内容を入力する入力手段１２と、少なくとも複合機を利用できるまでの待ち時間情報及び他の複合機が設置された利用に便利な店舗情報を表示するディスプレイ２１と、各ブース１７内に占有状況を検知するセンサ２２と、を備えて構成されている。【選択図】図２
2008176583.tif 000002
【特許請求の範囲】
【請求項１】
少なくとも２つの異なる機能を備えた複数の複合機と、
少なくとも前記複合機を利用できるまでの待ち時間情報、又は／及び、利用に便利な他の設置場所情報を表示する表示手段と、
前記複合機を利用するために待機する利用者数、及び利用者が希望する利用内容に関する情報を取得する情報取得手段と、
該情報取得手段により取得した情報に基づいて前記各機能毎の利用者数を予測、又は／及び、認識して前記各複合機に対して何れか一つの機能を割り当てると共に前記表示手段を制御する制御部と、を備えたことを特徴とする複合機管理システム。
【請求項２】
前記情報取得手段は、前記複合機を利用するために待機する利用者数を検知するセンサと、前記複合機を利用するために待機する利用者が希望する利用内容を入力する入力手段と、を備えて構成されていることを特徴とする請求項１に記載の複合機管理システム。
【請求項３】
前記制御部は、少なくとも前記利用に便利な他の設置場所周辺の地図、前記待ち時間情報及び前記利用に便利な他の設置場所での待ち時間情報を表示するように前記表示手段を制御することを特徴とする請求項１又は２に記載の複合機管理システム。
【請求項４】
前記制御部は、前記センサにより検知された利用者数が多いほど前記複数の機能のうちで前記複合機の占有時間が短くなる特定の機能を割り当てる台数を多くすることを特徴とする請求項１、２又は３に記載の複合機管理システム。
【請求項５】
前記複合機の利用者が待機する待機エリアを備え、前記センサは、前記待機エリア内にて順番待ちする利用者を検知可能な位置に配置されることを特徴とする請求項１、２又は４に記載の複合機管理システム。
【請求項６】
前記制御部は、前記入力手段により選択された利用内容を優先的に前記複合機の機能割り当てを決定する判断材料とすることを特徴とする請求項１又は２に記載の複合機管理システム。
【請求項７】
前記制御部は、曜日ごとの時間帯に応じて前記複合機の機能割り当てを決定することを特徴とする請求項１乃至６の何れか一項に記載の複合機管理システム。
【請求項８】
前記制御部は、月内の所定の日時に応じて前記複合機の機能割り当てを決定することを特徴とする請求項１乃至６の何れか一項に記載の複合機管理システム。
【請求項９】
前記制御部は、繁忙期ほど前記占有時間が短い機能を割り当てる複合機の数を多くすることを特徴とする請求項１乃至８の何れか一項に記載の複合機管理システム。
【請求項１０】
前記複合機が設置された地域の特性に応じて該複合機の機能割り当てを異ならせることを特徴とする請求項１乃至９の何れか一項に記載の複合機管理システム。
【請求項１１】
前記制御部は、前記占有時間が短い機能を割り当てた複合機に対しては、手動により他の機能に切り替えることを不可とすることを特徴とする請求項１乃至１０の何れか一項に記載の複合機管理システム。
【請求項１２】
前記制御部は、前記他の機能を割り当てた複合機に対しては、手動により前記占有時間が短い機能に切り替えることを可とすることを特徴とする請求項１乃至１０の何れか一項に記載の複合機管理システム。
【請求項１３】
前記制御部は、前記各複合機の機能割り当てを決定する際に、前記占有時間が短い機能を少なくとも一台の複合機に割り当てることを特徴とする請求項１乃至１２の何れか一項に記載の複合機管理システム。
【請求項１４】
前記複合機を設置したブースの適所に、該複合機の機能を表示する表示器を備えたことを特徴とする請求項１乃至１３の何れか一項に記載の複合機管理システム。
【請求項１５】
前記表示手段を前記複合機の設置場所に配置したことを特徴とする請求項１乃至１４の何れか一項に記載の複合機管理システム。
【請求項１６】
請求項１乃至１５の何れか一項に記載の複数の複合機管理システムと、前記各複合機管理システムを制御する管理サーバと、を備え、
前記管理サーバは、前記各複合機管理システムの前記情報取得手段により得られた情報を受信する情報受信手段と、該情報受信手段により受信した情報に基づいて前記夫々の複合機管理システムを利用する利用者の待ち時間を算出する時間算出手段と、該時間算出手段により算出した待ち時間情報を前記各複合機管理システムに送信する情報送信手段と、を備えたことを特徴とする店舗管理システム。
【請求項１７】
前記各複合機管理システムからの情報は、少なくとも前記入力手段により入力された利用内容、前記センサにより検知された利用者数及び前記各機能の使用状況に関する情報であることを特徴とする請求項１６に記載の店舗管理システム。
【請求項１８】
前記複合機管理システムは、前記制御部が受信した全ての待ち時間情報のうち前記利用に便利な他の設置場所に関する待ち時間情報を選択的に前記表示手段に表示することを特徴とする請求項１６又は１７に記載の店舗管理システム。
【請求項１９】
前記複合機管理システムは、前記制御部が受信した全ての待ち時間情報のうち前記利用に便利な他の設置場所に関する待ち時間情報と該他の設置場所への移動時間の合計が、現在の設置場所での待ち時間より短い場合に、前記他の設置場所に関する待ち時間情報を前記表示手段に表示することを特徴とする請求項１６、１７又は１８に記載の店舗管理システム。
【請求項２０】
前記複合機管理システムは、前記制御部が受信した全ての待ち時間情報のうち前記利用に便利な他の設置場所に関する待ち時間情報と該他の設置場所への移動時間の合計が、現在の設置場所での待ち時間より長い場合に、前記現在の設置場所に関する待ち時間情報を前記表示手段に表示することを特徴とする請求項１６、１７又は１８に記載の店舗管理システム。
【請求項２１】
前記複合機管理システムは、前記センサにより利用者を検出できない場合は、前記待ち時間情報以外の情報を前記表示手段に表示することを特徴とする請求項１６乃至２０の何れか一項に記載の店舗管理システム。
【請求項２２】
前記表示手段は、前記利用者が利用可能な情報処理装置又は携帯端末に装備されていることを特徴とする請求項１６乃至２１の何れか一項に記載の店舗管理システム。
【請求項２３】
前記管理サーバは、少なくとも前記情報処理装置又は携帯端末により前記待ち時間情報を表示可能としたことを特徴とする請求項１６乃至２２の何れか一項に記載の店舗管理システム。
【発明の詳細な説明】
【技術分野】
【０００１】
本発明は、複合機管理システム及び店舗管理システムに関し、さらに詳しくは、ＡＴＭ機能、自動契約機能等の複数の機能を併有する複合型自動契約機（複合機）を利用するために待機する利用者数や利用者の意向に基づいて、利用者の待ち時間を可能な限り短縮して利用効率を高めるために、複数台の複合機に対する機能の割り当てを随時切り替えるようにした技術に関するものである。
【背景技術】
【０００２】
消費者金融等の金融業界では、利用者のプライバシー保護の観点、及び人件費を抑制する目的から、無人店舗において利用者との契約が可能な自動契約機を各拠点に設置しており、広く普及している。しかし、契約成立後の入出金は銀行或いは所定の場所に設置されたＡＴＭ（現金自動預け払い機：Automated Teller Machine）により行なわなければならず、利用者にとって使い勝手が必ずしも良いとはいえなかった。そこで、利用者にとっての利便性を高めると共に、店舗スペースの有効活用、ランニングコスト低減の観点から自動契約機能とＡＴＭ機能を併有させた複合型自動契約機（以下、複合機と呼ぶ）が検討されている。
【０００３】
また、自動契約機能とＡＴＭ機能を併有した複合機に関する従来技術として、特許文献１には、本人を確認するための証明書と本人の画像を遠隔地のオペレータが比較し、本人であることを確認し、また、他人になりすまして再び新規契約を申し込もうとする利用者に対しては、生年月日、フリガナから既に契約を申し込んでいないかを確認し、与信後、カードを郵送するが、それまでに返済したい利用者に対しては融資実行時に取引番号を印字した用紙を出力し、この取引番号をキーにして返済を可能にするようにした入出金機能付き自動契約装置及びシステムについて開示されている。
【特許文献１】特開２００１−２２９４５５公報
【発明の開示】
【発明が解決しようとする課題】
【０００４】
しかし、自動契約機能とＡＴＭ機能を併有した複合機にあっては、自動契約機能を利用した契約完了までに要する時間が通常３０〜４０分かかるのに対して、ＡＴＭ機能を利用した入出金に要する時間は遥かに短く、両者の間に複合機を占有する時間に大きな差違が発生する。従って、無人店舗に設置した全ての複合機を、利用者がその利用目的に応じて任意に使用できるようにした場合に、多くの利用者が自動契約機能の利用を希望するとすれば、ＡＴＭ機能を利用したい少数の利用者が長時間待たされるといった問題をもたらす。
また、特許文献１に開示されている従来技術にあっては、入出金機能付き自動契約装置の機能を選択するのは利用者であるため、店舗に設置された複数台の入出金機能付き自動契約装置の多くが自動契約機として利用される場合には、上記の場合と同様にＡＴＭを利用したい利用者が長時間待たされるといった問題が発生する。
【０００５】
本発明は、かかる課題に鑑みてなされたものであり、利用者の人数、選択された機能、稼働時間、稼動曜日、又は稼動日時に応じて、複数の異なる機能を複数の複合機に適正に割り当てることにより、利用者の利便性を向上し、且つ店舗内の省スペース化、複合機の利用効率の向上、ランニングコストの低減を図ることができる複合機管理システムを提供することを目的とする。
また、他の目的は、利用者にとって便利な他の複合機の設置場所情報と、当該他の設置場所における待ち時間情報を利用者に提供することにより、利用者を待ち時間の少ない設置場所に誘導して、利用者の利便性を更に向上することである。
【課題を解決するための手段】
【０００６】
本発明はかかる課題を解決するために、請求項１は少なくとも２つの異なる機能を備えた複数の複合機と、少なくとも前記複合機を利用できるまでの待ち時間情報及び利用に便利な他の設置場所情報を表示する表示手段と、前記複合機を利用するために待機する利用者数、及び利用者が希望する利用内容に関する情報を取得する情報取得手段と、該情報取得手段により取得した情報に基づいて前記各機能毎の利用者数を予測、又は／及び、認識して前記各複合機に対して何れか一つの機能を割り当てると共に前記表示手段を制御する制御部と、を備えたことを特徴とする。
複合機が、例えば、自動契約機能、ＡＴＭ機能といった少なくとも２つの異なる機能を備えており、複合機の利用者がこれらの機能のうちの一つを自由に選択できるように設定した場合に、例えば、複数台の複合機の全てが自動契約機能として利用されると、ＡＴＭ機能の利用者が長時間待たされるといった事態が発生する。そこで本発明では、これらの事態を防止するために、情報取得手段により取得した情報に基づいて、各機能毎の利用者数を予測、又は／及び、認識して各複合機に対して何れか一つの機能の割り当てを決めるものである。また、待機する利用者に何の情報も与えない場合、待機時間が長くなるほどストレスを与えることとなる。そこで本発明では、利用者に待機時間や利用に便利な他の複合機設置場所等の情報を与えるために、それらの情報を表示する表示手段を設けた。これにより、利用者の利便性を向上し、且つ店舗内の省スペース化、ランニングコストの低減を図ることができる。例えば５台の複合機が設置された店舗において、待機する利用者数の多寡に応じて４台を自動契約機専用として割り当て、１台をＡＴＭ専用として割り当てを行うようにすれば、ＡＴＭ利用者が長時間待たされる不具合がなくなる。また、待機する利用者は表示手段の情報からストレスを軽減して的確な判断をすることができる。
【０００７】
請求項２は、前記情報取得手段は、前記複合機を利用するために待機する利用者数を検知するセンサと、前記複合機を利用するために待機する利用者が希望する利用内容を入力する入力手段と、を備えて構成されていることを特徴とする。
情報取得手段から得られる情報により複合機の機能割り当てを決定したり、待機時間を算出するには、待機している利用者数と、各利用者がどのような機能を利用したいかを事前に知る必要がある。そこで本発明では、利用者の数を検知するために人感センサを用い、利用者の利用内容を知るために、利用内容をボタンで選択したり、利用内容をキー操作により入力する入力手段を備えて情報取得手段とするものである。これにより、利用者の数と利用者の意思を同時に取得することができる。
【０００８】
請求項３は、前記制御部は、少なくとも前記利用に便利な他の設置場所周辺の地図、前記待ち時間情報及び前記利用に便利な他の設置場所での待ち時間情報を表示するように前記表示手段を制御することを特徴とする。
表示手段に表示する内容は、利用者のストレスを軽減することができ、且つ利用者にとって有益なものでなければならない。即ち、待機している利用者は、自分が利用可能となるまでの正確な待ち時間を一番知りたがっている。そこで本発明では、表示手段に現在の店舗（複合機設置場所）での待ち時間がどの位か、また、現在の店舗以外にある他の設置場所での待ち時間はどの位で、どのように行けばよいかの情報を表示するものである。これにより、利用者は表示手段に表示された情報を見て的確に待つべきか否かの判断を行うことができる。
【０００９】
請求項４は、前記制御部は、前記センサにより検知された利用者数が多いほど前記複数の機能のうちで前記複合機の占有時間が短くなる特定の機能を割り当てる台数を多くすることを特徴とする。
複合機が複数台設置されている場合、各複合機が異なる機能を併有することにより、各複合機ごとの占有時間に差異が発生する。そこで、利用者が多く待機している場合は、全ての複合機の稼働率を高める必要がある。そこで本発明では、待機する利用者数が多くなるほど、複合機の占有時間が短い機能への割り当て台数を多くするものである。これにより、待機する利用者数が多くなるほど、稼働率を高めて、利用者の待ち時間を短縮することができる。
【００１０】
請求項５は、前記複合機の利用者が待機する待機エリアを備え、前記センサは、前記待機エリア内にて順番待ちする利用者を検知可能な位置に配置されることを特徴とする。
利用者数を正確に計数するためには、センサが備えられているエリアに可能な限り複合機を利用する意思のある利用者だけを待機させる必要がある。そこで本発明では、ライン等を床に表記してそのラインに沿って待機させ、そのラインに順番待ちする利用者を検知可能な位置にセンサを設置するものである。これにより、複合機を利用する利用者数を正確に計数することができる。
【００１１】
請求項６は、前記制御部は、前記入力手段により選択された利用内容を優先的に前記複合機の機能割り当てを決定する判断材料とすることを特徴とする。
入力手段とセンサが併設されている場合、センサにより検知される利用者数は機能割り当ての一つの判断材料に過ぎず、利用者の意思を反映しているとは必ずしもいえない。しかし、入力手段により入力した利用内容は、利用者の意思であるので、その利用内容を優先して機能割り当てを決定する判断材料とするものである。これにより、複合機の機能割り当てを決定するための判断の正確性を増すことができる。
【００１２】
請求項７は、前記制御部は、曜日ごとの時間帯に応じて前記複合機の機能割り当てを決定することを特徴とする。
利用者は、１週間の曜日により異なった一定の行動パターンを採るのが普通である。例えば、ＡＴＭ機能の利用を例にとると、月曜日の場合は、主に午前中に利用が集中する傾向がある。また、週末の金曜日は現金引き出しの利用者が午前中に集中し、土曜日、日曜日の休日は利用者が減少する。このように、利用者の行動パターンに沿った機能の割り当てを行なうことは、複合機の稼働率を高め、且つ利用者の利便性を向上させる上で重要である。そこで本発明では、曜日ごとの時間帯に応じて複合機の機能割り当てを決定するものである。これにより、利用者の行動パターンに沿った機能の割り当てを行なうことができる。
【００１３】
請求項８は、前記制御部は、月内の所定の日時に応じて前記複合機の機能割り当てを決定することを特徴とする。
利用者の行動パターンは、一ヶ月の日時により異なる。例えば、月初と月末、或いは給料日前後により大きく異なる。月末と給料日から五日後までは、圧倒的にＡＴＭ機能の利用者が多くなるが、それ以外は減少する。そこで本発明では、月内の所定の日時に応じて複合機の機能割り当て、配分を決定するものである。これにより、利用者の行動パターンに沿った機能の割り当てを行なうことができる。
【００１４】
請求項９は、前記制御部は、繁忙期ほど前記占有時間が短い機能を割り当てる複合機の数を多くすることを特徴とする。
また年間を通して、年末、年始、或いはお盆休暇の時期は比較的複合機の使用頻度が高くなる傾向にある。そのような繁忙期には、複合機の稼働率を高くする必要がある。そこで本発明では、繁忙期ほど複合機の占有時間が短い機能の割り当て台数を多くするものである。これにより、繁忙期の稼働率を高めて、利用者の利便性を更に向上することができる。
【００１５】
請求項１０は、前記複合機が設置された地域の特性に応じて該複合機の機能割り当てを異ならせることを特徴とする。
複合機は各地域の拠点に設置される。都会では店舗の周辺に銀行やコンビニ等が存在するので、利用者が多くてなかなか順番が回ってこない場合は、銀行やコンビニ等に行くことができるが、地方の場合は、必ずしもそのような環境にない場合がある。そこで本発明では、地域の特性に応じて複合機の機能割り当て、配分を異ならせるものである。これにより、地域の特性に適応した複合機を提供することができる。
【００１６】
請求項１１は、前記制御部は、前記占有時間が短い機能を割り当てた複合機に対しては、手動により他の機能に切り替えることを不可とすることを特徴とする。
制御部が自動的に割り当てた機能は基本的には利用者が手動で変更することはできない。特に、占有時間が短い機能を割り当てた複合機に対しては、その機能が変更されると全体の稼働率を低下させてしまう虞がある。そこで本発明では、占有時間が短い機能を割り当てた複合機に対しては、手動により他の機能に切り替えることを不可とするものである。これにより、稼働率を左右する機能変更を固定することで、システム全体の稼働率の低下を防止することができる。
【００１７】
請求項１２は、前記制御部は、前記他の機能を割り当てた複合機に対しては、手動により前記占有時間が短い機能に切り替えることを可とすることを特徴とする。
本発明では、システムの稼働率を高めるために、機器の占有時間が長い機能から占有時間が短い機能に切り替えることは差し支えない。そこで本発明では、他の機能を割り当てた複合機に対しては、手動により占有時間が短い機能に切り替えることを可とするものである。これにより、システムの稼働率を高める方向に機能させることができる。
【００１８】
請求項１３は、前記制御部は、前記各複合機の機能割り当てを決定する際に、前記占有時間が短い機能を少なくとも１つの複合機に割り当てることを特徴とする。
本発明の最も大きな目的は、システムの稼働率を高めて、利用者の利便性を改善することである。従って、複数の複合機の機能を全て占有時間が長い機能に割り当てることは本発明の目的にそぐわないものである。そこで本発明では、各複合機の機能割り当てを決定する際に、占有時間が短い機能を少なくとも１つの複合機に割り当てるものである。これにより、全ての複合機が占有時間の長い機能として稼動する状況を無くすことができ、その結果、システムの稼働率を高めることができる。
【００１９】
請求項１４は、前記複合機を設置したブースの適所に、該複合機の機能を表示する表示器を備えたことを特徴とする。
複合機は仕切られたブース内に設置され、利用者のプライバシーが最低限守れるようになっている。そのため、ブース内の複合機が現在どのような機能に設定されているかは、ブースの外からでは判断できない。そこで本発明では、待機する利用者がブースの外から視認できるように複合機を設置したブースの適所に、複合機の機能を表示する表示器を備えるものである。これにより、待機する利用者がどのブースに行けばよいかを事前に確認することができる。
【００２０】
請求項１５は、前記表示手段を前記複合機の設置場所に配置したことを特徴とする。
表示手段は、複合機を利用するために待機する利用者に視認し易い場所に設置するのが好ましい。その意味では、利用者が待機する店舗内の待機エリアから見やすい場所に設置される。これにより、利用者は待機中に利用に便利な他の設置場所での情報を容易に認識することができる。
【００２１】
請求項１６は、請求項１乃至１４の何れか一項に記載の複数の複合機管理システムと、前記各複合機管理システムを制御する管理サーバと、を備え、前記管理サーバは、前記各複合機管理システムの前記情報取得手段により得られた情報を受信する情報受信手段と、該情報受信手段により受信した情報に基づいて前記夫々の複合機管理システムを利用する利用者の待ち時間を算出する時間算出手段と、該時間算出手段により算出した待ち時間情報を前記各複合機管理システムに送信する情報送信手段と、を備えたことを特徴とする。
本発明の店舗管理システムは、各店舗に設置された複合機管理システムと管理サーバをネットワークにより接続して構成されている。そして、管理サーバはネットワークを介して各複合機管理システムからの情報を受信し、その情報から利用者の待ち時間を計算して各複合機管理システムに返信する。これにより、利用者は、返信された情報から自身の待ち時間と近隣に設置された、或いは利用に便利な他の複合機管理システムの待ち時間と位置とを同時に認識することができる。
【００２２】
請求項１７は、前記各複合機管理システムからの情報は、少なくとも前記入力手段により入力された利用内容、前記センサにより検知された利用者数及び前記各機能の使用状況に関する情報であることを特徴とする。
管理サーバが各複合機管理システムでの待ち時間を計算するには、少なくとも利用内容、利用者数及び各機能の使用状況に関する情報が必要である。即ち、利用内容によって複合機の占有時間が大きく異なるため、各機能を何人の利用者が希望しているかによって待ち時間に大きな差異が生じるためである。これにより、待ち時間を算出する精度が高くなり、正確な待ち時間を算出することができる。
【００２３】
請求項１８は、前記複合機管理システムは、前記制御部で受信した全ての待ち時間情報のうち前記利用に便利な他の設置場所に関する待ち時間情報を選択的に前記表示手段に表示することを特徴とする。
利用客に他の設置場所での待ち時間を知らせる場合、利用者が現在居る設置場所から遠方にある設置場所や、利用に不便な設置場所における待ち時間等の情報を知らせても現実的でない。そこで本発明では、現在利用者が居る設置場所から利用に便利な（徒歩や交通手段により短時間で到着可能な距離）設置場所に関する情報を選択的に表示するものである。或いは、利用者の現在位置から遠い場所であっても、利用者にとって便利な場所（職場や自宅の近所や、外出しようとする場所の近所）にある店舗についての情報を提供してもよい。これにより、不必要な情報を表示することを防止して、利用者に有効な情報のみを提供することができる。
【００２４】
請求項１９は、前記複合機管理システムは、前記制御部で受信した全ての待ち時間情報のうち前記利用に便利な他の設置場所に関する待ち時間情報と該他の設置場所への移動時間の合計が、現在の設置場所での待ち時間より短い場合に、前記他の設置場所に関する待ち時間情報を前記表示手段に表示することを特徴とする。
利用に便利な他の設置場所での待ち時間が短いという情報のみに基づいて単純にその設置場所に移動した方が早く操作手続が終了すると判断することはできない。即ち、利用に便利な他の設置場所までの移動時間とそこでの待ち時間の合計が、現在待っている待ち時間より多くかかるのであれば移動する意味がない。そこで本発明では、利用に便利な他の設置場所に関する待ち時間情報とそこまでの移動時間の合計が、現在の設置場所での待ち時間より短い場合に、利用に便利な他の設置場所に関する待ち時間情報を表示手段に表示するものである。これにより、利用者は表示された情報から正確に移動の可否を判断することができる。
【００２５】
請求項２０は、前記複合機管理システムは、前記制御部で受信した全ての待ち時間情報のうち前記利用に便利な他の設置場所に関する待ち時間情報と該他の設置場所への移動時間の合計が、現在の設置場所での待ち時間より長い場合に、前記現在の設置場所に関する待ち時間情報を前記表示手段に表示することを特徴とする。
利用に便利な他の設置場所での待ち時間が短いという情報のみに基づいて単純にその設置場所に移動した方が早く操作手続が終了すると判断することはできない。即ち、他の設置場所までの移動時間とそこでの待ち時間の合計が、現在待っている待ち時間より多くかかるのであれば移動する意味もなく、そこの情報も表示する必要もない。そこで本発明では、他の設置場所に関する待ち時間情報とそこまでの移動時間の合計が、現在の設置場所での待ち時間より長い場合には、現在の設置場所に関する待ち時間情報を表示手段に表示するものである。これにより、利用者は現在の場所から移動せずに待ったほうが早く終わると判断することができる。
【００２６】
請求項２１は、前記複合機管理システムは、前記センサにより利用者を検出できない場合は、前記待ち時間情報以外の情報を前記表示手段に表示することを特徴とする。
複合機を利用する利用者がいない場合は、待ち時間を表示手段に表示する必要はない。そこでそのような場合は、例えば広告等の情報を表示手段に表示することにより、表示手段を有効活用することができる。
【００２７】
請求項２２は、前記表示手段は、前記利用者が利用可能な情報処理装置又は携帯端末に装備されていることを特徴とする。
例えばインターネットを利用して各店舗の混雑状況を知ることができる場合、利用者が利用可能な情報処理装置又は携帯端末のディスプレイからその情報を見る。そのとき、ディスプレイの表示内容が店舗に備えられた表示手段の内容と異なっていては意味がない。そこで本発明では、設置場所の表示手段と利用者が利用可能な情報処理装置又は携帯端末のディスプレイとを同一視して、同じ内容を表示するものである。これにより、利用者は設置場所に行かなくとも、設置場所の混雑状況を事前に把握することができる。
【００２８】
請求項２３は、前記管理サーバは、少なくとも情報処理装置又は携帯端末により前記待ち時間情報を表示可能としたことを特徴とする。
利用者は店舗まで出向いてから店舗の混雑状況が分かるより、事前にある程度の状況が分かった方が便利である。そこで本発明では、ＰＣ等の情報処理装置又は携帯電話等の携帯端末から、管理サーバが送信した待ち時間情報を検索できるものである。これにより、最も待ち時間が少ない店舗の場所を事前に把握することができる。
【発明の効果】
【００２９】
本発明によれば、少なくとも２つの異なる機能を備えた複数の複合機と、複合機を利用するために待機する利用者数を検知するセンサと、このセンサにより検知された利用者数に基づいて各機能毎の利用者数を予測して各複合機に対して何れか一つの機能を割り当てる制御部と、少なくとも複合機を利用できるまでの待ち時間情報及び他の複合機が設置された利用に便利な設置場所情報を表示する表示手段と、を備えたので、利用者の利便性を向上して各設置場所の使用効率を平準化し、且つ店舗内の省スペース化、ランニングコストの低減を図ることができる。
【発明を実施するための最良の形態】
【００３０】
以下、本発明を図に示した実施形態を用いて詳細に説明する。但し、この実施形態に記載される構成要素、種類、組み合わせ、形状、その相対配置などは特定的な記載がない限り、この発明の範囲をそれのみに限定する主旨ではなく単なる説明例に過ぎない。
図１は本発明の複合機管理システムを構成する複合機の外観構成を示す図である。この複合機５０は、カードを挿入して情報を読み取り終了後にカードを返却するために取り出すカード取出／取入口１と、タッチパネルディスプレイ３を表示しているときにその案内情報を流すスピーカ２と、操作説明及び契約説明等を表示するタッチパネルディスプレイ３と、ＡＴＭ機能に切り替わったときに現金の入出金を行なう紙幣投入／受取口４と、証明書類や契約書の記載内容を読み取るスキャナ５と、操作中に係員を呼び出して会話するガイドフォン６と、帳票を印刷して出力する帳票放出口７と、を備えて構成されている。尚、複合機５０の詳細な説明は、本発明の主旨ではないのでここでは省略する。
【００３１】
図２は本発明の実施形態に係る複合機管理システムの店舗内構成図である。尚、以下の実施形態では、複合機としてＡＴＭ機能及び自動契約機能を備えた複合型自動契約機を例にとって説明する。この複合機管理システム６０は、現金の自動預け払いを行なうためのＡＴＭ機能及び利用者との間で融資契約を締結するための自動契約機能を備えた複数の複合型自動契約機（以下、複合機と呼ぶ）５０ａ〜５０ｅと、複合機５０ａ〜５０ｅを利用するために待機する利用者数を検知するセンサ１３と、各複合機５０ａ〜５０ｅを利用できるまでの待ち時間情報及び利用に便利な（徒歩や交通手段により短時間で到着可能な距離）他の店舗情報を表示するディスプレイ（表示手段）２１と、待機する利用者１５が希望する利用内容を入力する入力手段１２と、センサ１３及び入力手段１２により取得した情報に基づいて各機能毎の利用者数を予測、又は／及び、認識して各複合機５０ａ〜５０ｅに対して何れか一つの機能を割り当てると共にディスプレイ２１を制御する制御部１８と、を備えて構成されている。尚、各複合機５０ａ〜５０ｅは夫々ブース１７ａ〜１７ｅ内に設置されている。また、利用者１５は複合機５０ａ〜５０ｅを利用するために待機する待機エリア１６内にて順番待ちして、センサ１３は順番待ちした利用者を検知可能な位置に複数個配置されている。また、入力手段１２及び複数のセンサ１３の情報は、信号線１４を介して制御部１８に入力され、複合機５０ａ〜５０ｅは、制御線１９を介して制御部１８により制御される。
本実施形態では、店舗１０内に入力手段１２とセンサ１３を備えているが、センサ１３のみ、或いは入力手段１２のみの構成でも構わない。また、センサ１３は、赤外線による反射光を検知する、所謂、人感センサ等が使用されるのが好ましい。
【００３２】
次に、本実施形態の構成に係る複合機管理システム６０の概略動作について説明する。尚、説明を簡略化するために、店舗１０内には、利用者が４人待機している場合について説明する。センサ１３は待機エリア１６に順番待ちしている利用者の数を信号線１４を介して制御部１８に入力する。制御部１８は現在の待機人数が４人であることを検知すると、複合機５０ａ〜５０ｅの中から２台の複合機をＡＴＭ機能にして、他の３台の複合機を自動契約機能に設定する（設定方法は後述する）。その表示はブース１７の入口に備えられた表示器９により表示される（図６参照）。利用者は、その表示器９を見てＡＴＭ機能を利用するために来店した利用者は、その表示のブースに入室して用事を済ませる。このとき、ＡＴＭ機能の利用者が２人以下であれば、他の利用者は、自動契約機能の表示のブースに入室して用事を済ませることができるが、ＡＴＭ機能の利用者が２人以上の場合は、そのブースが空くのを待つ。しかし、ＡＴＭ機能により複合機を占有する時間は比較的短いので、長時間待たされることはない。また、利用者４人が全て自動契約機能を利用する場合は、自動契約機能に設定された複合機が空くまで待機する必要がある。ここで、利用者１５がブース１７内に入ると待機エリア１６の利用者数が変化するので、センサ１３はリアルタイムにその情報を制御部１８に入力するが、制御部１８はその都度機能の割り当てを変更することはなく、所定の時間間隔でセンサ１３の入力を監視するように制御される。
また、本実施形態では、利用者数により一義的に複合機の機能割り当てを設定するのではなく、入口１１の近傍に設置された入力手段１２で利用者が利用したい機能を予め入力することにより、例えば、ＡＴＭ機能に設定する複合機の数を２台から１台にして全体の稼働率を高めるようにしても良い。
【００３３】
また、ディスプレイ２１に表示する内容は、利用者１５のストレスを軽減して且つ利用者１５にとって有益なものでなければならない。即ち、待機している利用者１５は、あとどの位待てば利用できるのかを一番知りたがっている。そこで本実施形態では、ディスプレイ２１に現在の場所での待ち時間がどの位か、また、現在の場所以外にある他の設置場所での待ち時間はどの位で、どのように行けばよいかの情報を同一画面上に表示するものである（詳細は後述する）。これにより、利用者１５はディスプレイ２１に表示された情報を見て的確に待つべきか否かの判断を行うことができる。尚、情報を別々の画面上に表示するようにしても良い。
【００３４】
即ち、複合機５０ａ〜５０ｅは、自動契約機能、ＡＴＭ機能といった少なくとも２つの異なる機能を備えている。複合機の利用者がこれらの機能のうちの一つを自由に選択できるように設定した場合に、例えば、複数台の複合機５０ａ〜５０ｅの全てが自動契約機能として利用されると、ＡＴＭ機能の利用者が長時間待たされるといった事態が発生する。そこで本実施形態では、これらの事態を防止するために、複合機５０ａ〜５０ｅを利用するために待機する利用者１５の数をセンサ１３により検知して、その人数に応じて各機能毎の利用者数を予測、決定して各複合機について利用可能な機能の割り当てを決めるものである。これにより、利用者１５の利便性を向上し、且つ店舗内の省スペース化、ランニングコストの低減を図ることができる。例えば５台の複合機が設置された店舗において、待機する利用者数の多寡に応じて４台を自動契約機専用として割り当て、１台をＡＴＭ用として割り当てを行うようにすれば、ＡＴＭ利用者が長時間待たされる不具合がなくなる。
【００３５】
また、待機エリア１６に待機する利用者１５の人数だけを判断材料としてＡＴＭ機能と自動契約機能の割り当てを決める場合、予め人数に応じた割り当て数を固定的に決定しておく必要がある。その決定方法は、統計的に決定するか、或いは過去の実績により決定される。しかし、この方法の欠点は、利用者の意思を必ずしも正確に反映しているとは限らないことである。そこで本実施形態では、利用者１５が希望する利用内容を入力する入力手段１２を店舗１０内に備え、利用する前にその入力手段１２により利用内容を入力してもらう。これにより、利用者１５の意思を正確に機能割り当ての判断材料に反映することができる。例えば、統計的には１０人の利用待機者がいる場合には、自動契約機能の利用者数が３名で、ＡＴＭ利用者数が７名であるとしても、実際の利用者が希望する機能の内訳が異なっている場合には、利用実体を反映した運営ができないこととなる。本実施形態によれば、現実に待機する利用者が希望する機能を予め入力してもらうことによって現実に即した機能の割り振りが可能となる。
また、待機する利用者１５の利用目的を入力手段１２を用いて入力してもらい、この入力内容に基づいてＡＴＭ機能と自動契約機能の割り当てを決める場合、店舗１０に来店した利用者１５の全てが入力するとは限らない。即ち、入力手段１２を用いて入力した利用内容だけを材料として判断することは正確性に欠けることがある。そこで本実施形態では、それを補う意味でセンサ１３により利用者数も同時に検知して、両者のデータに基づいて各複合機５０ａ〜５０ｅに対する機能割り当てを行うものである。これにより、更に正確な機能割り当ての判断材料を提供することができる。
【００３６】
また、利用者数を正確に計数するためには、センサ１３が備えられている場所に可能な限り複合機５０を利用する意思のある利用者だけを待機させる必要がある。そこで本実施形態では、ライン等を床に表記してそのラインに沿って待機させ、そのラインに順番待ちした利用者を検知可能な位置にセンサ１３を設置するものである。これにより、複合機５０を利用する利用者数を正確に計数することができる。
また、制御部１８は、ＡＴＭ機能を割り当てた複合機に対しては、手動により他の機能に切り替えることを不可とするものである。即ち、制御部１８が自動的に割り当てた機能は基本的には手動で変更することはできない。特に、ＡＴＭ機能を割り当てた複合機に対しては、その機能が変更されると全体の稼働率を低下させてしまう虞がある。そこで本実施形態では、ＡＴＭ機能を割り当てた複合機に対しては、手動により他の機能に切り替えることを不可とするものである。これにより、稼働率を左右する機能変更を固定することで、システム全体の稼働率の低下を防止することができる。
【００３７】
また、制御部１８は、自動契約機能を割り当てた複合機に対しては、手動によりＡＴＭ機能に切り替えることを可とするものである。即ち、本実施形態では、システムの稼働率を高めるために、占有時間が長い自動契約機能から占有時間が短いＡＴＭ機能に切り替えることは差し支えない。そこで本実施形態では、自動契約機能を割り当てた複合機に対しては、手動によりＡＴＭ機能に切り替えることを可とするものである。これにより、システムの稼働率を高める方向に機能させることができる。
また、制御部１８は、各複合機５０ａ〜５０ｅの機能割り当てを決定する際に、占有時間が短いＡＴＭ機能を少なくとも１つの複合機に割り当てるものである。即ち、本発明の最も大きな目的は、システムの稼働率を高めて、利用者の利便性を改善することである。従って、複数の複合機５０ａ〜５０ｅの機能を全て占有時間が長い自動契約機能に割り当てることは本発明の目的にそぐわないものである。そこで本実施形態では、各複合機５０ａ〜５０ｅの機能割り当てを決定する際に、ＡＴＭ機能を少なくとも１つの複合機に割り当てるものである。これにより、全ての複合機が自動契約機能として稼動する状況を無くすことができ、その結果、システムの稼働率を高めることができる（但し、図８の例外もある）。
【００３８】
図３は本発明の実施形態に係る店舗管理システムの全体構成図である。この店舗管理システム１００は、各店舗１０内に備えられた複合機管理システム６０と、各複合機管理システム６０を制御する管理サーバ３１と、各店舗１０と管理サーバ３１を接続するネットワーク３０と、を備え、管理サーバ３１は、各店舗１０内の各複合機管理システム６０からの情報を受信する情報受信手段３２と、情報受信手段３２により受信した情報に基づいて夫々の複合機管理システム６０を利用する利用者の待ち時間を算出する時間算出手段３３と、時間算出手段３３により算出した全ての店舗の待ち時間情報を各複合機管理システム６０に送信する情報送信手段３４と、を備えて構成されている。また、管理サーバ３１は、少なくともＰＣ（情報処理装置）３５又は携帯電話等の携帯端末３６により待ち時間情報を表示することができる。即ち、利用者は店舗１０まで出向いてから店舗１０の混雑状況が分かるより、事前にある程度の状況が分かった方が便利である。そこで本実施形態では、ＰＣ等の情報処理装置３５又は携帯電話等の携帯端末３６から、管理サーバ３１が送信した待ち時間情報を検索できるものである。これにより、最も待ち時間が少ない店舗の場所を事前に把握することができる。
【００３９】
以上の説明の通り、本実施形態の店舗管理システム１００は、各店舗１０に設置された複合機管理システム６０と管理サーバ３１をネットワーク３０により接続して構成されている。そして、管理サーバ３１はネットワーク３０を介して各複合機管理システム６０からの情報を受信し、その情報から利用者の待ち時間を計算して各複合機管理システム６０に返信する。これにより、店舗内の利用者は、返信された情報から自身の待ち時間と利用に便利な店舗に設置された複合機管理システム６０の待ち時間と位置とを同時に認識することができる。
また、利用者の現在位置から遠い場所であっても、利用者にとって便利な場所（職場や自宅の近所や、外出しようとする場所の近所）にある店舗についての情報を提供してもよい。
また、例えばインターネットから各店舗の混雑状況を知ることができる場合、利用者が利用可能なＰＣ３５又は携帯端末３６のディスプレイからその情報を見る。そのとき、ディスプレイの表示内容が店舗１０に備えられたディスプレイ２１の内容と異なっていては意味がない。そこで本実施形態では、店舗１０に備えられたディスプレイ２１と利用者が利用可能なＰＣ３５又は携帯端末３６のディスプレイとを同一視して、同じ内容を表示するものである。これにより、利用者は店舗１０に行かなくとも、店舗１０の混雑状況を事前に把握することができる。
【００４０】
図４は店舗管理システムの動作を説明するフローチャートである。このフローチャートでは、利用に便利な場所の意味として、店舗から近隣に設置された場所として説明する。まずブース１７ａ〜１７ｅにいる利用者をセンサ２２により検知し、店舗１０内で待機する利用者をセンサ１３により検知する（Ｓ１）。それらの情報は信号線１４により制御部１８に送信される（Ｓ２）。情報を受信した制御部１８は、それらの情報を加工してネットワーク３０を介して管理サーバ３１に送信する（Ｓ３）。管理サーバ３１では各制御部１８から送信された情報を情報受信手段３２により受信し、各店舗の待ち時間情報を時間算出手段３３により算出する（Ｓ４）。そして算出された待ち時間情報と共に、近隣の地図を情報送信手段３４によりネットワーク３０を介して各店舗１０に送信する（Ｓ５）。そして各店舗１０では、店舗内に待機者がいるか否かをセンサ１３により検知し（Ｓ６）、待機者が居なければ（Ｓ６でＮＯ）広告等の情報をディスプレイ２１に表示して（Ｓ１０）、一定時間待機してから（Ｓ９）ステップＳ１に戻って繰り返す。
【００４１】
一方、ステップＳ６で店舗内に待機者がいると（Ｓ６でＹＥＳ）、近隣の店舗を利用したらよいか否かを判断する（Ｓ７）。例えば、判断方法として、制御部１８で受信した全ての待ち時間情報のうち近隣の店舗に関する待ち時間情報と近隣の店舗への移動時間の合計が、現在の店舗での待ち時間より短い場合に、近隣の店舗に関する待ち時間情報をディスプレイ２１に表示するようにする（Ｓ８）。ステップＳ７で制御部１８で受信した全ての待ち時間情報のうち近隣の店舗に関する待ち時間情報と近隣の店舗への移動時間の合計が、現在の店舗での待ち時間より長い場合には、現在の店舗に関する待ち時間情報をディスプレイ２１に表示するようにする（Ｓ１１）。そして一定時間待機してから（Ｓ９）ステップＳ１に戻って繰り返す。
【００４２】
図５はディスプレイに待ち時間情報の一例を表示した図である。この例では、ディスプレイ２１の左側に近隣店舗の周辺を表示した地図４０が表示され、右側には、現在の店舗と近隣の店舗情報４１を表示している。地図４０には、現在の店舗の位置（Ａ）を例えば点滅して表示し、また近隣の店舗の位置（Ｂ）を点滅して表示する。また、店舗情報４１には、「○○支点  待ち時間  ＡＴＭ・・・５分、自動契約機・・・３５分お待ちください。」またその下に、「お急ぎのお客様は下記店舗・ＡＴＭでもご利用いただけます。近隣の店舗・ＡＴＭコーナ情報  ΔΔ支点  徒歩・・・・３分  待ち時間  ＡＴＭ・・・０分  自動契約機・・・１０分」と表示する。このように、ディスプレイ２１には、店舗ごとの現在の待ち時間情報が複合機ごとに表示される。また、近隣の店舗についての待ち時間情報及び移動時間４１と地図４０が表示される。
【００４３】
図６はブースに備えられた表示器の表示内容の一例を示す図である。複合機５０を設置したブース１７ａ〜１７ｅの適所に、複合機５０ａ〜５０ｅの機能を表示する表示器９を備えたものである。即ち、複合機５０は仕切られたブース１７ａ〜１７ｅ内に設置され、利用者のプライバシーが最低限守れるようになっている。そのため、ブース１７ａ〜１７ｅ内の複合機が現在どのような機能に設定されているかは、ブース１７ａ〜１７ｅの外からでは判断できない。そこで本実施形態では、待機する利用者がブース１７ａ〜１７ｅの外から視認できるように複合機５０を設置したブース１７ａ〜１７ｅの適所に、複合機５０の機能を表示する表示器９を備えるものである。例えばＡＴＭ機能であれば、図６（ａ）のような「ＡＴＭコーナー」と表示し、自動契約機能であれば、図６（ｂ）のように「自動契約機コーナー」と表示する。これにより、待機する利用者１５がどのブースに行けばよいかを事前に確認することができる。
【００４４】
図７は本発明の第１の実施形態に係る機能割り当て方法を説明する図である。図２を参照して説明する。この方法は、センサ１３により検知された利用者数に基づいて複合機５０ａ〜５０ｅの機能割り当てを行なう一例である。例えば、複合機が５台の場合、センサ１３による利用者の検知人数が０〜２人の場合は、ＡＴＭ機能１台、自動契約機能４台の割り当てにする。同様にして、センサ１３による利用者の検知人数が３〜５人の場合は、ＡＴＭ機能２台、自動契約機能３台の割り当てにし、センサ１３による利用者の検知人数が６〜１０人の場合は、ＡＴＭ機能３台、自動契約機能２台の割り当てにし、センサ１３による利用者の検知人数が１１人以上の場合は、ＡＴＭ機能４台、自動契約機能１台の割り当てにするものである。このように、センサ１３による検知人数が最小でもＡＴＭ機能を１台にするが、人数が増加するに応じてＡＴＭ機能の台数を増加させて、自動契約機能の台数を減少していくようにするものである。
【００４５】
即ち、複合機５０が複数台設置されている場合、各複合機が併有する機能により、各複合機ごとの占有時間に差異が発生する。そこで、利用者１５が多く待機している場合は、全ての複合機５０ａ〜５０ｅの稼働率を高める必要がある。そこで本実施形態では、待機する利用者数が多くなるほど、複合機の占有時間が短いＡＴＭ機能への割り当て台数を多くするものである。これにより、待機する利用者数が多くなるほど、稼働率を高めて、利用者の待ち時間を短縮することができる。尚、機能の割り当て比率は一例であり、この比率に限定されるものではない。
また、入力手段１２とセンサ１３が併設されている場合、センサ１３により検知される利用者数は機能割り当ての一つの判断材料に過ぎず、利用者１５の意思を反映しているとは必ずしもいえない。しかし、入力手段１２により入力した利用内容は、利用者１５の意思であるので、その利用内容を優先して機能割り当てを決定する判断材料とするものである。これにより、複合機５０ａ〜５０ｅの機能割り当てを決定するための判断の正確性を増すことができる。
【００４６】
図８は本発明の第２の実施形態に係る機能割り当て方法を説明する図である。本実施形態では、制御部１８が曜日ごとの時間帯に応じて複合機５０の機能割り当てを決定するものである。即ち、ＡパターンとしてＡＴＭ機能４台、自動契約機能１台、ＢパターンとしてＡＴＭ機能３台、自動契約機能２台、ＣパターンとしてＡＴＭ機能２台、自動契約機能３台、ＤパターンとしてＡＴＭ機能１台、自動契約機能４台、ＥパターンとしてＡＴＭ機能０台、複合機機能（手動によりＡＴＭ機能に切替可能）５台の５パターンを用意し、例えば、月曜日の場合は、９時から１１時までＢパターン、１１時から１４時までＡパターン、１４時から１６時までＢパターン、１６時から１８時までＣパターン、１８時から１９時までＤパターン、１９時以降をＥパターンとする。また、土曜、日曜祝日は、９時から１１時までＢパターン、１１時から１８時までＣパターン、１８時以降をＢパターンとする。このように、各曜日毎にパターンの時間配分を変化させるものである。
即ち、利用者１５は、１週間の曜日により異なった一定の行動パターンを採るのが普通である。例えば、ＡＴＭ機能の利用を例にとると、月曜日の場合は、主に午前中に利用が集中する傾向がある。また、週末の金曜日は現金引き出しの利用者が午前中に集中し、土曜日、日曜日の休日は利用者が減少する。このように、利用者の行動パターンに沿った機能の割り当てを行なうことは、複合機５０ａ〜５０ｅの稼働率を高め、且つ利用者１５の利便性を向上させる上で重要である。そこで本実施形態では、曜日ごとの時間帯に応じて複合機５０ａ〜５０ｅの機能割り当てを決定するものである。これにより、利用者１５の行動パターンに沿った機能の割り当てを行なうことができる。
【００４７】
図９は本発明の第３の実施形態に係る機能割り当て方法を説明する図である。本実施形態では、制御部１８が月内の所定の日時に応じて複合機５０の機能割り当てを決定するものである。即ち、Ａパターンとして、ＡＴＭ機能４台、自動契約機能１台、Ｂパターンとして、ＡＴＭ機能３台、自動契約機能２台、Ｃパターンとして、ＡＴＭ機能２台、自動契約機能３台の３パターンを用意し、月末を除く２５日から５日までの９時から１１時までをＢパターン、１１時から１５時までをＡパターン、１５時から１９時までをＢパターン、１９時以降をＣパターンとする。また、月末、あるいは月末が土、日の場合は、翌月の第一営業日の９時から１９時までをＡパターン、１９時以降をＢパターンとする。また、期間中の土、日、祝日の９時から１１時までをＢパターン、１１時から１８時までをＣパターン、１８時以降をＢパターンとする。
即ち、利用者１５の行動パターンは、一ヶ月の日時により異なる。例えば、月初と月末、或いは給料日前後により大きく異なる。月末と給料日から五日後までは、圧倒的にＡＴＭ機能の利用者が多くなるが、それ以外は減少する。そこで本実施形態では、月内の所定の日時に応じて複合機の機能割り当て、配分を決定するものである。これにより、利用者の行動パターンに沿った機能の割り当てを行なうことができる。
【００４８】
また、本発明の第４の実施形態に係る機能割り当て方法として、制御部１８は、繁忙期ほどＡＴＭ機能を割り当てる複合機の数を多くするものである。即ち、年間を通して年末、年始、或いはお盆休暇の時期は比較的複合機の使用頻度が高くなる傾向にある。そのような繁忙期には、複合機の稼働率を高くする必要がある。そこで本実施形態では、繁忙期ほど複合機のＡＴＭ機能の割り当て数を多くするものである。これにより、繁忙期の稼働率を高めて、利用者の利便性を更に向上することができる。
【００４９】
また、本発明の第５の実施形態に係る機能割り当て方法として、複合機が設置された地域の特性に応じて複合機の機能割り当てを異ならせるものである。即ち、複合機が設置される場所は、各地域の拠点に設置される。都会では店舗の周辺に銀行やコンビニ等が存在するので、利用者が多くてなかなか順番が回ってこない場合は、銀行やコンビニ等に行くことができるが、地方の場合は、必ずしもそのような環境にない場合がある。そこで本発明では、地域の特性に応じて複合機の機能割り当て、配分を異ならせるものである。これにより、地域の特性に適応した複合機を提供することができる。
【図面の簡単な説明】
【００５０】
【図１】本発明の複合機管理システムを構成する複合機の外観構成を示す図である。
【図２】本発明の実施形態に係る複合機管理システムの店舗内構成図である。
【図３】本発明の実施形態に係る店舗管理システムの全体構成図である。
【図４】店舗管理システムの動作を説明するフローチャートである。
【図５】ディスプレイに待ち時間情報の一例を表示した図である。
【図６】ブースに備えられた表示器の表示内容の一例を示す図である。
【図７】本発明の第１の実施形態に係る機能割り当て方法を説明する図である。
【図８】本発明の第２の実施形態に係る機能割り当て方法を説明する図である。
【図９】本発明の第３の実施形態に係る機能割り当て方法を説明する図である。
【符号の説明】
【００５１】
１０  店舗、１１  入口、１２  入力手段、１３、２２  センサ、１４  信号線、１５  利用者、１６  待機エリア、１７ａ〜１７ｅ  ブース、１８  制御部、１９  制御線、２１  ディスプレイ、３０  ネットワーク、３１  管理サーバ、３２  情報受信手段、３３  時間算出手段、３４  情報送信手段、５０ａ〜５０ｅ  複合型自動契約機、６０  複合機管理システム、１００  店舗管理システム
【図１】
2008176583.tif 000003
【図２】
2008176583.tif 000004
【図３】
2008176583.tif 000005
【図４】
2008176583.tif 000006
【図５】
2008176583.tif 000007
【図６】
2008176583.tif 000008
【図７】
2008176583.tif 000009
【図８】
2008176583.tif 000010
【図９】
2008176583.tif 000011